(57)【要約】【課題】ポケット部のレイアウト自由度が制限されない内装トリムのポケット構造を提供する。【解決手段】ポケット部１２を潰れ易くするため、ポケットカバー６からドアトリム２へ向けて形成された壁部８、９、１０、１１に、脆弱部８ａ、９ａ、１０ａ、１１ａを設けた。【選択図】　　　　図３
2004017945.tif 000002
【特許請求の範囲】
【請求項１】
車体の車内側に設置された内装トリムにポケット開口を設け、該内装トリムに対して車外側からポケットカバーを取付け、内装トリムとポケットカバーとの間でポケット部を形成した内装トリムのポケット構造であって、
前記ポケットカバーのうち、ポケットカバーから内装トリム側へ向けて形成された壁部に、脆弱部を設けたことを特徴とする内装トリムのポケット構造。
【請求項２】
車体の車内側に設置された内装トリムに対して、車内側からポケットカバーを取付け、内装トリムとポケットカバーとの間で上部開放型のポケット部を形成した内装トリムのポケット構造であって、
前記ポケットカバーのうち、ポケットカバーから内装トリム側へ向けて形成された壁部に、脆弱部を設けたことを特徴とする内装トリムのポケット構造。
【請求項３】
請求項１又は請求項２に記載の内装トリムのポケット構造であって、
壁部が、ポケットカバーの端部以外の部位から形成されたリブ状の壁部を含んでいることを特徴とする内装トリムのポケット構造。
【請求項４】
請求項１〜３のいずれか１項に記載の内装トリムのポケット構造であって、
脆弱部が、壁部の車内外方向における途中部分に形成された溝部であることを特徴とする内装トリムのポケット構造。
【発明の詳細な説明】
【０００１】
【発明の属する技術分野】
この発明は、内装トリムのポケット構造に関する。
【０００２】
【従来の技術】
自動車における車体パネルの車内側には、ドアトリム、リヤサイドトリム、ラゲッジサイドトリム等の内装トリムが設けられている。これらの内装トリムには、雑誌や小物を収納するためのポケット部が形成される。
【０００３】
ポケット部としては、内装トリムにポケット開口を形成して、その裏側からポケットカバーを取付けてポケット部を形成する構造と、内装トリムに対して表側からポケットカバーを取付けて上部開放型のポケット部を形成する構造がある。（類似技術として、特開平１０−２６４７２９号公報参照）。
【０００４】
ポケット部を形成するポケットカバーの端部には、ポケット部の奥行きをだすために内装トリム側へ向けた壁部が形成され、該壁部を内装トリムの裏面又は表面に突き当てた状態で取付けている。
【０００５】
【発明が解決しようとする課題】
しかしながら、このような従来のポケット部にあっては、ポケットカバーに形成された壁部が、内装トリムに対して突き当て状態になっているため、車両衝突時に乗員の体が車内側から当たっても、該壁部が車体パネルと乗員との間で突っ張った状態となり、ポケット部の壁部に相当する部分が容易に潰れない。そのため、従来は乗員保護性能の面から、車両衝突時に乗員が当たりそうな位置にはポケット部を設定することができず、ポケット部のレイアウト自由度が制限されていた。
【０００６】
この発明は、このような従来の技術に着目してなされたものであり、ポケット部のレイアウト自由度が制限されない内装トリムのポケット構造を提供するものである。
【０００７】
【課題を解決するための手段】
請求項１に記載の発明は、車体の車内側に設置された内装トリムにポケット開口を設け、該内装トリムに対して車外側からポケットカバーを取付け、内装トリムとポケットカバーとの間でポケット部を形成した内装トリムのポケット構造であって、前記ポケットカバーのうち、ポケットカバーから内装トリム側へ向けて形成された壁部に、脆弱部を設けたことを特徴とする。
【０００８】
請求項１に記載の発明によれば、ポケットカバーを内装トリムの裏面側（車外側）から取付けるタイプのポケット部であっても、ポケットカバーの壁部に脆弱部を設けため、車内側から荷重が加わると、壁部が脆弱部から破断して、ポケット部の壁部に相当する部分が容易に潰れる。従って、ポケット部の壁部を、乗員が当たりそうな位置に設定しても、乗員保護性能の面からは問題なく、ポケット部のレイアウト自由度が制限されない。尚、以上及び以下において、「車体」とは、ドア等の開閉体も含む概念である。
【０００９】
請求項２に記載の発明は、車体の車内側に設置された内装トリムに対して、車内側からポケットカバーを取付け、内装トリムとポケットカバーとの間で上部開放型のポケット部を形成した内装トリムのポケット構造であって、前記ポケットカバーのうち、ポケットカバーから内装トリム側へ向けて形成された壁部に、脆弱部を設けたことを特徴とする。
【００１０】
請求項２に記載の発明によれば、ポケットカバーを内装トリムの表面側（車内側）から取付けるタイプのポケット部であっても、前項同様に、ポケット部の壁部に相当する部分が容易に潰れるため、ポケット部の壁部を、乗員が当たりそうな位置に設定しても、乗員保護性能の面からは問題なく、ポケット部のレイアウト自由度が制限されない。
【００１１】
請求項３に記載の発明は、壁部がポケットカバーの端部以外の部位から形成されたリブ状の壁部を含んでいることを特徴とする。
【００１２】
請求項３に記載の発明によれば、ポケットカバーに形成されたリブ状の壁部にも、脆弱部が設けられるため、ポケット部が潰れ易いことに変わりない。また、ポケット部全体を単なる中空状態にしておくよりも、途中に破断し易いリブ状の壁部を設けることにより、車内側から加わる荷重をより確実に吸収することができる。
【００１３】
請求項４に記載の発明は、脆弱部が壁部の車内外方向における途中部分に形成された溝部であることを特徴とする。
【００１４】
請求項４に記載の発明によれば、脆弱部を壁部に形成した溝部としたため、簡単な構造で壁部を確実に破断させることができる。
【００１５】
【発明の実施の形態】
以下、この発明の好適な実施形態を図面に基づいて説明する。
【００１６】
図１〜図３は、この発明の第１実施形態を示す図である。図１は、右側のドアを示すもので、ドア本体の車内側面を形成する金属製のインナパネル１には、車内側から樹脂製の「内装トリム」としてのドアトリム２が取付けられている。このドアトリム２には、上部に車内側に突出したアームレスト３が一体形成され、その下方には同じく車内側に突出した凸部４が一体形成されている。この凸部４は乗員の腰部に対応するドアの後方位置まで形成されている。
【００１７】
この凸部４の上面にはポケット開口５が形成されている。そして、このドアトリム２の凸部４が形成された部分には、裏面側（車外側）からポケットカバー６が取付けられている。このポケットカバー６の周囲には係止片７が形成され、この係止片７がドアトリム２の裏面に形成された図示せぬボス部に対して熱溶着される。
【００１８】
ポケットカバー６には、その端部に、ドアトリム２側に向いた幅広の底壁部８と、幅狭の底壁部９と、クランク状に曲折した後壁部１０が形成されている。また、幅広の底壁部８と幅狭の底壁部９との間には、同じくドアトリム２側に向いたリブ状の壁部１１が形成されている。そして、これらの各壁部８、９、１０、１１には、それぞれ車内外方向における中間位置で、前後方向に連続した「脆弱部」としての溝部８ａ、９ａ、１０ａ、１１ａが形成されている。
【００１９】
このような形状のポケットカバー６を、凸部４の裏面側から取付けることにより、ポケットカバー６と凸部４との間に、上方にポケット開口５を有するポケット部１２が形成される。このポケット部１２は前方が凸部４の前面にて区画され、底面が底壁部８にて区画され、後面がリブ状の壁部１１にて区画される。
【００２０】
そして、車両が側面衝突を起こして、乗員の腰部がポケット部１２の後部に車内側から当たると、その衝撃により、ポケットカバー６の底壁部８、９、後壁部１０、リブ状の壁部１１が、それぞれ溝部８ａ、９ａ、１０ａ、１１ａから破断して、ポケット部１２の後方が潰れる。ポケット部１２が潰れることにより、衝撃を吸収して、乗員を保護することができる。このように、乗員の腰部に対応するような後方位置まで、ポケット部１２を形成しても乗員保護性能の面で問題なく、ポケット部１２のレイアウト自由度が向上する。
【００２１】
また、ポケットカバー６の内側全体を、単なる中空状態にしておくよりも、途中に破断し易いリブ状の壁部１１を設けたことにより、車内側から加わる荷重をより確実に吸収することができる。つまり、このようなリブ状の壁部１１がないと、抵抗なくポケット部１２が潰されるだけだが、リブ状の壁部１１を設けたことにより、車内側から加わる荷重を十分に吸収しながらポケット部１２を潰すことができる。
【００２２】
図４〜図６は、この発明の第２実施形態を示す図である。尚、第１実施形態と共通する部分には同一の符号を付し、重複する説明は省略する。
【００２３】
この第２実施形態では、ドアトリム１３に車内側からポケットカバー１４を取付けて、上部開放型のポケット部１５を形成したものである。このポケットカバー１４の前方はスピーカ１６と一体構造になっており、後方にはドアトリム２側に向いた後壁部１７が形成され、底部には底壁部１８が形成されている。そして、その底壁部１８の若干上方には、ポケット部１５の実質的な底面を形成するリブ状の壁部１９が形成されている。これらの各壁部１７、１８、１９には、先の第１実施形態同様に、溝部１７ａ、１８ａ、１９ａがそれぞれ形成されている。
【００２４】
従って、車両の側面衝突時に乗員の腰部が、ポケット部１５の後部に当たっても、ポケットカバー６の後壁部１７、底壁部１８、リブ状の壁部１９が、それぞれ溝部１７ａ、１８ａ、１９ａから破断して、ポケット部１５の後部が潰れるため、衝撃を吸収して、乗員を保護することができる。
【００２５】
尚、以上の実施形態では、「脆弱部」として溝部を例にしたが、これに限定されず、壁部が破断するようなものであればどのような構造でも良い。例えば、壁部の途中に切欠を形成しても良いし、壁部の途中部分だけを低強度の材質で形成しても良い。また、「内装トリム」として、ドアに取付けられるドアトリム２、１３を例にしたが、これに限定されない。
【００２６】
【発明の効果】
この発明によれば、ポケットカバーを内装トリムの裏面側から取付けるタイプのポケット部であっても、或いは表面側から取付けるタイプのポケット部であっても、ポケットカバーの壁部に脆弱部を設けため、車内側から荷重が加わると、壁部が脆弱部から破断して、ポケット部の壁部に相当する部分が容易に潰れる。従って、ポケット部の壁部を、乗員が当たりそうな位置に設定しても、乗員保護性能の面からは問題なく、ポケット部のレイアウト自由度が制限されない。
【図面の簡単な説明】
【図１】この発明の第１実施形態を示すドアの斜視図。
【図２】図１中矢示ＳＡ−ＳＡ線に沿う断面図。
【図３】図１のポケットカバーを示す斜視図。
【図４】この発明の第２実施形態を示すドアの斜視図。
【図５】図４のポケット部の後方を示す拡大斜視図。
【図６】図４中矢示ＳＢ−ＳＢ線に沿う断面図。
【符号の説明】
２、１３　ドアトリム（内装トリム）
５　ポケット開口
６、１４　ポケットカバー
８、９、１８　底壁部
１０、１７　後壁部
１１、１９　リブ状の壁部
１２、１５　ポケット部
【図１】
2004017945.tif 000003
【図２】
2004017945.tif 000004
【図３】
2004017945.tif 000005
【図４】
2004017945.tif 000006
【図５】
2004017945.tif 000007
【図６】
2004017945.tif 000008